(57)【特許請求の範囲】
【請求項１】
相対湿度を計測する相対湿度計測部と、この相対湿度計測部の近傍の温度を計測する温度計測部と、前記相対湿度計測部の計測相対湿度を前記温度計測部の計測温度に基づいて補正する補正演算部とを備えた湿度検出器において、
前記補正演算部は、
前記湿度検出器内の内部発熱の度合いを特定し、この特定した内部発熱の度合いと前記温度計測部の計測温度とに基づいて湿度補正係数を特定する湿度補正係数特定部と、
前記湿度補正係数特定部によって特定された湿度補正係数に基づいて前記相対湿度計測部の計測相対湿度を補正する補正実行部とを備え、
前記湿度補正係数特定部は、
前記湿度検出器の予め定められた所定の地点の風速に基づいて前記内部発熱の度合いを特定する
ことを特徴とする湿度検出器。
【発明の詳細な説明】
【技術分野】
【０００１】
この発明は、被測定空間の相対湿度を検出する湿度検出器に関するものである。
【背景技術】
【０００２】
従来より、この種の湿度検出器として、計測した相対湿度を周囲温度によって補正する補正機能を備えた湿度検出器が用いられている（例えば、特許文献１参照）。
【０００３】
この補正機能を備えた湿度検出器では、例えば２５℃の湿度の傾きを１とした時の周囲温度に対応する傾きαのテーブル値と、２５℃の湿度のオフセットを０とした時の周囲温度に対応する切片βのテーブル値とを定め、内蔵された温度センサを用いて相対湿度の計測部の近傍の温度を周囲温度として計測する一方、その計測した周囲温度に応じた傾きαと切片βを読み出し、この読み出した傾きαおよび切片βを下記（１）式に代入して計測相対湿度を補正し、この補正した計測相対湿度（補正相対湿度）を相対湿度の検出値として出力するようにしている。
補正相対湿度＝計測相対湿度×α＋β  ・・・・（１）
【先行技術文献】
【特許文献】
【０００４】
【特許文献１】特開平７−２８０７６７号公報
【発明の概要】
【発明が解決しようとする課題】
【０００５】
しかしながら、最近の湿度検出器は、マイクロコンピュータが搭載されており、電源回路やＣＰＵなどの構成部品の発熱（内部発熱）により、相対湿度の計測部の周囲温度が実際の被測定空間の温度よりも高い値となり、この被測定空間との間の温度差が相対湿度の検出値に誤差を生じさせてしまう。
【０００６】
本発明は、このような課題を解決するためになされたもので、その目的とするところは、内部発熱の影響を受けることなく、被測定空間の相対湿度を精度よく検出することが可能な湿度検出器を提供することにある。
【課題を解決するための手段】
【０００７】
このような目的を達成するために、本発明に係る湿度検出器は、相対湿度を計測する相対湿度計測部と、この相対湿度計測部の近傍の温度を計測する温度計測部と、相対湿度計測部の計測相対湿度を温度計測部の計測温度に基づいて補正する補正演算部とを備えた湿度検出器において、補正演算部は、湿度検出器内の内部発熱の度合いを特定し、この特定した内部発熱の度合いと温度計測部の計測温度とに基づいて湿度補正係数を特定する湿度補正係数特定部と、湿度補正係数特定部によって特定された湿度補正係数に基づいて相対湿度計測部の計測相対湿度を補正する補正実行部とを備え、湿度補正係数特定部は、湿度検出器の予め定められた所定の地点の風速に基づいて内部発熱の度合いを特定することを特徴とする。
【発明の効果】
【０００９】
本発明によれば、湿度検出器内の内部発熱の度合いを湿度検出器の予め定められた所定の地点の風速に基づいて特定し、この特定した内部発熱の度合いと温度計測部の計測温度（相対湿度計測部の近傍の計測温度（周囲温度））とに基づいて湿度補正係数を特定し、この特定された湿度補正係数に基づいて相対湿度計測部の計測相対湿度を補正するようにしたので、内部発熱の度合いと相対湿度計測部の近傍の計測温度と湿度補正係数との関係を適切に定めておくことにより、内部発熱の影響を受けることなく、被測定空間の相対湿度を精度よく検出することが可能となる。
【図面の簡単な説明】
【００１０】
【図１】本発明に係る湿度検出器の第１の実施の形態（実施の形態１）の外観を示す斜視図である。
【図２】実施の形態１の湿度検出器のカバーを取り外した状態を示す図である。
【図３】実施の形態１の湿度検出器を被測定空間の壁面に取り付けた状態を示す図である。
【図４】実施の形態１の湿度検出器の要部の機能ブロック図である。
【図５】実施の形態１の湿度検出器の記憶部に格納されている基準テーブルおよび補助テーブルの内容を例示する図である。
【図６】実施の形態１の湿度検出器の補正演算部での処理動作を説明するためのフローチャートである。
【図７】実施の形態２の湿度検出器のカバーを取り外した状態を示す図である。
【図８】実施の形態２の湿度検出器の要部の機能ブロック図である。
【図９】実施の形態２の湿度検出器の記憶部に格納されている基準テーブルおよび補助テーブルの内容を例示する図である。
【図１０】実施の形態２の湿度検出器における周囲の風速・風向と設定値との関連を示す図である。
【図１１】実施の形態２の湿度検出器の補正演算部での処理動作を説明するためのフローチャートである。
【図１２】実施の形態３の湿度検出器のカバーを取り外した状態を示す図である。
【図１３】実施の形態３の湿度検出器の要部の機能ブロック図である。
【図１４】実施の形態３の湿度検出器の記憶部に格納されている基準テーブルおよび補助テーブルの内容を例示する図である。
【図１５】実施の形態３の湿度検出器の補正演算部での処理動作を説明するためのフローチャートである。
【発明を実施するための形態】
【００１１】
以下、本発明の実施の形態を図面に基づいて詳細に説明する。なお、以下の説明では、本発明の権利範囲に含まれないものも実施の形態として記載されているが、ここでは全て実施の形態として説明する。
【００１２】
〔実施の形態１：湿度検出器の２地点間の温度差に基づいて内部発熱の度合いを特定するタイプ〕
図１はこの発明に係る湿度検出器の第１の実施の形態（実施の形態１）の外観を示す斜視図であり、図２はこの湿度検出器のカバーを取り外した状態を示す図である。
【００１３】
図１において、１はカバーであり、湿度検出器１００の前面に取り付けられている。この湿度検出器１００は、図３に示すように、被測定空間２００の壁面２０１に取り付けられる。この壁面２０１への湿度検出器１００の取り付け状態において、カバー１の天井側に位置する上面１−１および床側に位置する下面１−２には、開口１ａおよび１ｂが形成されている。また、カバー１の左右の面１−３，１−４にも、開口１ｃおよび１ｄが形成されている。
【００１４】
この例において、被測定空間２００に対して設けられている空調機（図示せず）は、天井吹き出しタイプとされている。これにより、空調機から吹き出された調和空気は、カバー１の上面１−１の開口１ａから湿度検出器１００の内部に入り、カバー１の下面１−２の開口１ｂから抜け出る。
【００１５】
湿度検出器１００の内部には、図２に示されているようにプリント回路基板２が設けられており、このプリント回路基板２にマイクロコンピュータが搭載され、電源回路やＣＰＵなどの構成部品が設けられている。
【００１６】
また、プリント回路基板２の床側に位置する部分には、相対湿度計測部として湿度センサ３が設けられており、この湿度センサ３の近傍に第２の温度計測部兼周囲温度計測部として第２の温度センサ４が設けられている。また、プリント回路基板２の天井側に位置する部分には、第２の温度センサ４と対向する位置に、第１の温度計測部として第１の温度センサ５が設けられている。
【００１７】
図４にこの湿度検出器１００の要部の機能ブロック図を示す。この湿度検出器１００は、メモリに格納されたプログラムに従ってマイクロコンピュータが実行する処理機能として、補正演算部６を有している。補正演算部６は、温度差算出部６−１と、湿度補正係数特定部６−２と、補正実行部６−３とを備えている。また、マイクロコンピュータがアクセスする記憶部７には、基準テーブルＴＡ１と補助テーブルＴＡ２とが格納されている。
【００１８】
補正演算部６において、温度差算出部６−１は、第１の温度センサ５が検出する湿度検出器１００の内部の天井側の温度（上部温度）を第１の温度Ｔ１として、第２の温度センサ４が検出する湿度検出器１００の内部の床側の温度（下部温度）を第２の温度Ｔ２として入力し、この第１の温度Ｔ１と第２の温度Ｔ２との温度差ΔＴ（ΔＴ＝Ｔ１−Ｔ２）を求める。
【００１９】
補正演算部６において、湿度補正係数特定部６−２は、温度差算出部６−１からの第１の温度Ｔ１と第２の温度Ｔ２との温度差ΔＴおよび第２の温度センサ４が検出する湿度センサ３の近傍の温度（周囲温度）を計測温度Ｔ０として入力し、記憶部７に格納されている基準テーブルＴＡ１および補助テーブルＴＡ２にアクセスすることによって、その時の温度差ΔＴと計測温度Ｔ０とに応じた湿度補正係数α”（α”＝α・α’）および切片βを特定する。
【００２０】
補正演算部６において、補正実行部６−３は、湿度センサ３からの相対湿度の計測値を計測相対湿度Ｈ１として入力し、この計測相対湿度Ｈ１を湿度補正係数特定部６−２からの湿度補正係数α”および切片βで補正し、この補正した計測相対湿度を相対湿度の検出値として出力する。具体的には、下記の（２）式に湿度補正係数α”および切片βを代入して計測相対湿度Ｈ１を補正し、この補正した計測相対湿度（補正相対湿度）Ｈ２を相対湿度の検出値とする。
Ｈ２＝Ｈ１×α”＋β  ・・・・（２）
【００２１】
図５（ａ）に記憶部７に格納されている基準テーブルＴＡ１を例示する。この基準テーブルＴＡ１では、２５℃の湿度の傾きを１とした時の周囲温度（計測温度Ｔ０）に対応する傾きα（基本湿度補正係数）のテーブル値と、２５℃の湿度のオフセットを０とした時の周囲温度（計測温度Ｔ０）に対応する切片βのテーブル値とを定めている。
【００２２】
図５（ｂ）に記憶部７に格納されている補助テーブルＴＡ２を例示する。この補助テーブルＴＡ２では、第１の温度Ｔ１と第２の温度Ｔ２との温度差ΔＴを複数の温度差範囲に区分し（この例では、６つに区分）、その温度差範囲の区分毎に周囲温度（計測温度Ｔ０）に対応する傾きαの調整係数α’を定めている。この調整係数α’は湿度検出器１００を実環境に近い状態に置いて動作させ実験を繰り返すことによって定められた値である。なお、この補助テーブルＴＡ２において、温度差範囲の区分が湿度検出器１００内の内部発熱の度合いを示す。
【００２３】
図６に補正演算部６での処理動作のフローチャートを示す。補正演算部６は、所定周期毎に（ステップＳ１０１のＹＥＳ）、第２の温度センサ４からの計測温度（湿度センサ３の近傍の温度（周囲温度））Ｔ０、湿度センサ３からの計測相対湿度（相対湿度の計測値）Ｈ１、第１の温度センサ５からの第１の温度（上部温度）Ｔ１および第２の温度センサ４からの第２の温度（下部温度）Ｔ２を取り込む（ステップＳ１０２）。
【００２４】
取り込まれた第１の温度Ｔ１および第２の温度Ｔ２は温度差算出部６−１に送られる。温度差算出部６−１は、第１の温度Ｔ１と第２の温度Ｔ２との温度差ΔＴを算出し（ステップＳ１０３）、この算出した温度差ΔＴを湿度補正係数特定部６−２へ送る。
【００２５】
湿度補正係数特定部６−２は、記憶部７に格納されている基準テーブルＴＡ１（図５（ａ））にアクセスし、第２の温度センサ４からの計測温度Ｔ０に応じた傾きαおよび切片βを読み出す（ステップＳ１０４）。また、記憶部７に格納されている補助テーブルＴＡ２（図５（ｂ））にアクセスし、温度差算出部６−１からの温度差ΔＴが属する温度差範囲の区分を特定し、すなわち内部発熱の度合いを特定し、この特定した温度差範囲の区分における第２の温度センサ４からの計測温度Ｔ０に応じた調整係数α’を読み出す（ステップＳ１０５）。
【００２６】
そして、湿度補正係数特定部６−２は、その読み出した調整係数α’をステップＳ１０４で読み出した傾きαに乗じて、湿度補正係数α”（α”＝α×α’）を求める（ステップＳ１０６）。すなわち、その時の温度差ΔＴと計測温度Ｔ０とに応じた湿度補正係数α”を特定する。そして、この特定した湿度補正係数α”とステップＳ１０４で特定した切片βを補正実行部６−３に送る。
【００２７】
補正実行部６−３は、湿度センサ３からの計測相対湿度Ｈ１と湿度補正係数特定部６−２からの湿度補正係数α”および切片βとから、Ｈ２＝Ｈ１×α”＋βとして補正相対湿度Ｈ２を求め（ステップＳ１０７）、この求めた補正相対湿度Ｈ２を相対湿度の検出値として出力する（ステップＳ１０８）。
【００２８】
このようにして、実施の形態１では、湿度検出器１００内の上下の温度差ΔＴを計測し、この湿度検出器１００内の上下の温度差ΔＴと湿度センサ３の近傍の計測温度Ｔ０に応じた調整係数α’を求め、この調整係数α’をその時の計測温度Ｔ０に応じた傾きαに乗じて湿度補正係数α”を求めることにより、内部発熱の影響を受けることなく、被測定空間２００の相対湿度を精度よく検出することができるようになる。
【００２９】
なお、この実施の形態１では、湿度検出器１００内の床側に湿度センサ３を設けるようにしたが、湿度検出器１００内の天井側に湿度センサ３を設けるようにしてもよい。この場合、第１の温度センサ５を第１の温度計測部兼周囲温度計測部として使用するようにする。また、湿度センサ３の近傍の温度を計測する専用の周囲温度センサを設け、第１の温度センサ５を第１の温度Ｔ１を計測する専用の温度センサとし、第２の温度センサ４を第２の温度Ｔ２を計測する専用の温度センサとするようにしてもよい。また、第１の温度Ｔ１を計測する第１の温度センサ５および第２の温度Ｔ２を計測する第２の温度センサ４を、湿度検出器１００の内部ではなく、湿度検出器１００の外部に設けるようにしてもよい。
【００３０】
また、この実施の形態１では、基本テーブルＴＡ１と補助テーブルＴＡ２とを用いるようにしたが、α×α’を演算したα”を複数の温度差範囲の区分毎にテーブル値として定めた湿度補正係数テーブルを用いるようにしてもよい。このようにすることによって、基本テーブルＴＡ１と補助テーブルＴＡ２とを１つのテーブルにまとめることが可能となる。
【００３１】
〔実施の形態２：手動で入力される設定情報に基づいて内部発熱の度合いを特定するタイプ〕
図７にこの発明に係る湿度検出器の第２の実施の形態（実施の形態２）のカバーを取り外した状態を示す。この実施の形態２において、湿度検出器１０１の内部には、１０進の設定スイッチ８が設けられている。
【００３２】
なお、実施の形態１の湿度検出器１００では天井側に第１の温度センサ５を設けていたが、実施の形態２の湿度検出器１０１では第１の温度センサ５は設けずに、第２の温度センサ４を湿度センサ３の近傍の温度を計測する周囲温度センサ（周囲温度計測部）として用いる。
【００３３】
図８にこの湿度検出器１０１の要部の機能ブロック図を示す。この湿度検出器１０１は、メモリに格納されたプログラムに従ってマイクロコンピュータが実行する処理機能として、補正演算部９を有している。補正演算部９は、湿度補正係数特定部９−１と、補正実行部９−２とを備えている。また、マイクロコンピュータがアクセスする記憶部７には、基準テーブルＴＢ１と補助テーブルＴＢ２とが格納されている。
【００３４】
図９（ａ）に記憶部７に格納されている基準テーブルＴＢ１を例示する。この基準テーブルＴＢ１は、実施の形態１で用いた基準テーブルＴＡ１と同じであるので、その説明は省略する。
【００３５】
図９（ｂ）に記憶部７に格納されている補助テーブルＴＢ２を例示する。この補助テーブルＴＢ２では、手動で操作される設定スイッチ８からの設定値毎に、周囲温度（計測温度Ｔ０）に対応する傾きαの調整係数α’を定めている。この例では、図１０に示すように、湿度検出器１０１の周囲の風速・風向と設定値とを関連づけ、この風速・風向と関連づけた設定値毎に調整係数α’を定めている。この調整係数α’は湿度検出器１０１を実環境に近い状態に置いて動作させ実験を繰り返すことによって定められた値である。なお、この補助テーブルＴＢ２において、設定値が湿度検出器１０１内の内部発熱の度合いを示す。
【００３６】
図１１に補正演算部９での処理動作のフローチャートを示す。なお、この処理動作を開始させるに際して、エンジニアまたはユーザは、湿度検出器１０１の周囲の風速・風向を風速計（図示せず）にて手動計測し、図１０に示した図表に従い、その計測した風速・風向に応じた設定値を設定スイッチ８を介して補正演算部９に対してセットする。
【００３７】
補正演算部９は、所定周期毎に（ステップＳ２０１のＹＥＳ）、周囲温度センサ４からの計測温度（湿度センサ３の近傍の温度（周囲温度））Ｔ０、湿度センサ３からの計測相対湿度（相対湿度の計測値）Ｈ１、設定スイッチ８からの設定値（スイッチ設定値）を取り込む（ステップＳ２０２）。
【００３８】
取り込まれた周囲温度センサ４からの計測温度Ｔ０および設定スイッチ８からの設定値は湿度補正係数特定部９−１に送られる。湿度補正係数特定部９−１は、記憶部７に格納されている基準テーブルＴＢ１（図９（ａ））にアクセスし、周囲温度センサ４からの計測温度Ｔ０に応じた傾きαおよび切片βを読み出す（ステップＳ２０３）。
【００３９】
また、湿度補正係数特定部９−１は、記憶部７に格納されている補助テーブルＴＢ２（図９（ｂ））にアクセスし、設定スイッチ８からの設定値を特定し、すなわち内部発熱の度合いを特定し、この特定した設定値に対して定められている周囲温度センサ４からの計測温度Ｔ０に応じた調整係数α’を読み出す（ステップＳ２０４）。
【００４０】
そして、湿度補正係数特定部９−１は、その読み出した調整係数α’をステップＳ２０３で読み出した傾きαに乗じて、湿度補正係数α”（α”＝α×α’）を求める（ステップＳ２０５）。すなわち、その時のスイッチ設定値と計測温度Ｔ０とに応じた湿度補正係数α”を特定する。そして、この特定した湿度補正係数α”とステップＳ２０３で特定した切片βを補正実行部９−２に送る。
【００４１】
補正実行部９−２は、湿度センサ３からの計測相対湿度Ｈ１と湿度補正係数特定部９−１からの湿度補正係数α”および切片βとから、Ｈ２＝Ｈ１×α”＋βとして補正相対湿度Ｈ２を求め（ステップＳ２０６）、この求めた補正相対湿度Ｈ２を相対湿度の検出値として出力する（ステップＳ２０７）。
【００４２】
このようにして、実施の形態２では、湿度検出器１０１の周囲の風速・風向を手動計測し、その計測した風速・風向に応じた設定値を設定スイッチ８を介してセットし、このセットした設定値と湿度センサ３の近傍の計測温度Ｔ０に応じた調整係数α’を求め、この調整係数α’をその時の計測温度Ｔ０に応じた傾きαに乗じて湿度補正係数α”を求めることにより、内部発熱の影響を受けることなく、被測定空間２００の相対湿度を精度よく検出することができるようになる。
【００４３】
なお、この実施の形態２では、湿度検出器１０１内の床側に湿度センサ３を設けるようにしたが、湿度検出器１０１内の天井側に湿度センサ３を設けるようにしたりしてもよい。この場合、周囲温度センサ４は、湿度センサ３の近傍に設けるようにすることは言うまでもない。
【００４４】
また、この実施の形態２では、基本テーブルＴＢ１と補助テーブルＴＢ２とを用いるようにしたが、α×α’を演算したα”を設定値毎にテーブル値として定めた湿度補正係数テーブルを用いるようにしてもよい。このようにすることによって、基本テーブルＴＢ１と補助テーブルＴＢ２とを１つのテーブルにまとめることが可能となる。
【００４５】
〔実施の形態３：湿度検出器の所定の地点の風速に基づいて内部発熱の度合いを特定する〕
図１２にこの発明に係る湿度検出器の第３の実施の形態（実施の形態３）のカバーを取り外した状態を示す。この実施の形態３において、湿度検出器１０２の内部には、天井側に風速計１０が設けられている。
【００４６】
なお、この実施の形態３の湿度検出器１０２でも、実施の形態２の湿度検出器１０１と同様に、第１の温度センサ５を設けずに、第２の温度センサ４を湿度センサ３の近傍の温度を計測する周囲温度センサ（周囲温度計測部）として用いる。
【００４７】
図１３にこの湿度検出器１０２の要部の機能ブロック図を示す。この湿度検出器１０２は、メモリに格納されたプログラムに従ってマイクロコンピュータが実行する処理機能として、補正演算部１１を有している。補正演算部１１は、湿度補正係数特定部１１−１と、補正実行部１１−２とを備えている。また、マイクロコンピュータがアクセスする記憶部７には、基準テーブルＴＣ１と補助テーブルＴＣ２とが格納されている。
【００４８】
図１４（ａ）に記憶部７に格納されている基準テーブルＴＣ１を例示する。この基準テーブルＴＣ１は、実施の形態１で用いた基準テーブルＴＡ１と同じであるので、その説明は省略する。
【００４９】
図１４（ｂ）に記憶部７に格納されている補助テーブルＴＣ２を例示する。この補助テーブルＴＣ２では、風速計１０が計測する風速ＷＳを複数の風速範囲に区分し（この例では、６つに区分）、その風速範囲の区分毎に周囲温度（計測温度Ｔ０）に対応する傾きαの調整係数α’を定めている。この風速範囲の区分毎の周囲温度（計測温度Ｔ０）に対応する調整係数α’は湿度検出器１０２を実環境に近い状態に置いて動作させ実験を繰り返すことによって定められた値である。なお、この補助テーブルＴＣ２において、風速範囲の区分が湿度検出器１０２内の内部発熱の度合いを示す。
【００５０】
図１５に補正演算部１１での処理動作のフローチャートを示す。補正演算部１１は、所定周期毎に（ステップＳ３０１のＹＥＳ）、周囲温度センサ４からの計測温度（湿度センサ３の近傍の温度（周囲温度））Ｔ０、湿度センサ３からの計測相対湿度（相対湿度の計測値）Ｈ１、風速計１０からの風速（風速の計測値）ＷＳを取り込む（ステップＳ０２）。
【００５１】
取り込まれた周囲温度センサ４からの計測温度Ｔ０および風速計１０からの風速ＷＳは湿度補正係数特定部１１−１に送られる。湿度補正係数特定部１１−１は、記憶部７に格納されている基準テーブルＴＣ１（図１４（ａ））にアクセスし、周囲温度センサ４からの計測温度Ｔ０に応じた傾きαおよび切片βを読み出す（ステップＳ３０３）。
【００５２】
また、湿度補正係数特定部１１−１は、記憶部７に格納されている補助テーブルＴＣ２（図１４（ｂ））にアクセスし、風速計１０からの風速ＷＳが属する風速範囲の区分を特定し、すなわち内部発熱の度合いを特定し、この特定した風速範囲の区分における周囲温度センサ４からの計測温度Ｔ０に応じた調整係数α’を読み出す（ステップＳ３０４）。
【００５３】
そして、湿度補正係数特定部１１−１は、その読み出した調整係数α’をステップＳ３０３で特定した傾きαに乗じて、湿度補正係数α”（α”＝α×α’）を求める（ステップＳ３０５）。すなわち、その時の風速ＷＳと計測温度Ｔ０とに応じた湿度補正係数α”を特定する。そして、この特定した湿度補正係数α”とステップＳ３０３で特定した切片βを補正実行部１１−２に送る。
【００５４】
補正実行部１１−２は、湿度センサ３からの計測相対湿度Ｈ１と湿度補正係数特定部１１−１からの湿度補正係数α”および切片βとから、Ｈ２＝Ｈ１×α”＋βとして補正相対湿度Ｈ２を求め（ステップＳ３０６）、この求めた補正相対湿度Ｈ２を相対湿度の検出値として出力する（ステップＳ３０７）。
【００５５】
このようにして、実施の形態３では、湿度検出器１０２内の風速ＷＳを計測し、この湿度検出器１０２内の風速ＷＳと湿度センサ３の近傍の計測温度Ｔ０に応じた調整係数α’を求め、この調整係数α’をその時の計測温度Ｔ０に応じた傾きαに乗じて湿度補正係数α”を求めることにより、内部発熱の影響を受けることなく、被測定空間２００の相対湿度を精度よく検出することができるようになる。
【００５６】
なお、この実施の形態３では、湿度検出器１０２内の天井側に風速計１０を設けるようにしたが、図１２に点線で示すように、湿度検出器１０２内の中央部の右側のサイドに風速計１０を設けるなどしてもよい。また、風速計１０を湿度検出器１０２の内部ではなく、湿度検出器１０２の外部に設けるようにしてもよい。
【産業上の利用可能性】
【００５７】
本発明の湿度検出器は、被測定空間の相対湿度を検出する湿度検出器として、空調制御用の湿度検出器や発熱させることで相対湿度を低くして計測を行う農業用の湿度検出器などして利用することが可能である。
【符号の説明】
【００５８】
１…カバー、１−１…上面、１−２…下面、１−３…左面、１−４…右面、１ａ〜１ｃ…開口、２…プリント回路基板、３…湿度センサ、４…第２の温度センサ、５…第１の温度センサ、６…補正演算部、６−１…温度差算出部、６−２…湿度補正係数特定部、６−３…補正実行部、７…記憶部、８…設定スイッチ、９…補正演算部、９−１…湿度補正係数特定部、９−２…補正実行部、１０…風速計、１１…補正演算部、１１−１…湿度補正係数特定部、１１−２…補正実行部、ＴＡ１，ＴＢ１，ＴＣ１…基準テーブル、ＴＡ２，ＴＢ２，ＴＣ２…補助テーブル、１００，１０１，１０２…湿度検出器、２００…被測定空間、２０１…壁面。
【図３】
0005575625.tif 000002
【図４】
0005575625.tif 000003
【図５】
0005575625.tif 000004
【図６】
0005575625.tif 000005
【図８】
0005575625.tif 000006
【図９】
0005575625.tif 000007
【図１０】
0005575625.tif 000008
【図１１】
0005575625.tif 000009
【図１３】
0005575625.tif 000010
【図１４】
0005575625.tif 000011
【図１５】
0005575625.tif 000012
【図１】
0005575625.tif 000013
【図２】
0005575625.tif 000014
【図７】
0005575625.tif 000015
【図１２】
0005575625.tif 000016